(57)【要約】【課題】照明モジュールの温度と植物栽培温度の両方を制御することのできる熱電冷却チップを備えた植物栽培装置を提供する。【解決手段】    植物栽培装置は、筐体と、照明モジュールと、熱電冷却チップと、第１放熱モジュールと、第２放熱モジュールとを含む。筐体は、カバーおよび植栽用空間を有する。カバーは、互いに分離した第１空間および第２空間を有する。第１空間は、周辺環境と連通し、第２空間は、植栽用空間と連通する。カバーに組み立てられ、第１空間内に設置された照明モジュールは、植栽用空間に光を提供する。カバーに組み立てられた熱電冷却チップは、第１空間に設置された加熱側および第２空間に設置された冷却側を有する。第１空間に設置された第１放熱モジュールは、加熱側におよび照明モジュールに熱的に接続される。第２空間に設置された第２放熱モジュールは、冷却側および植栽用空間に熱的に接続される。【選択図】        図５
2016220670.tif 000002
【特許請求の範囲】
【請求項１】
互いに分離した第１空間および第２空間を有するカバーと、植栽用空間とを有し、前記第１空間が周辺環境と連通し、前記第２空間が前記植栽用空間と連通した筐体と、
前記カバーに組み立てられるとともに、前記第１空間に設置され、前記植栽用空間に光を提供する照明モジュールと、
前記カバーに組み立てられ、前記第１空間に設置された加熱側および前記第２空間に設置された冷却側を有する熱電冷却チップと、
前記第１空間に設置されるとともに、前記加熱側に熱的に接続され、前記照明モジュールを介して前記カバーの外に流れる空気流を生成して、前記照明モジュールによって生成された熱を放散する第１放熱モジュールと、
前記第２空間に設置されるとともに、前記冷却側に熱的に接続され、前記植栽用空間に流れる空気流を生成して、前記植栽用空間からの熱を放散する第２放熱モジュールと、
を含む植物栽培装置。
【請求項２】
前記照明モジュールが、第１温度を生成し、前記植栽用空間が、前記光によって前記植栽用空間を照射した後に第２温度を生成し、前記熱電冷却チップの前記冷却側が、第３温度を生成し、前記加熱側が、第４温度を生成し、前記第４温度が、前記第１温度よりも低く、前記第３温度が、前記第２温度よりも低い請求項１に記載の植物栽培装置。
【請求項３】
前記第４温度が、３５℃〜４０℃の範囲内である請求項２に記載の植物栽培装置。
【請求項４】
前記第１放熱モジュールおよび前記第２放熱モジュールが、それぞれ入口を有するファンおよび出口を有する放熱フィンセットを含み、前記放熱フィンセットが、前記冷却側および前記加熱側にそれぞれ熱的に接続され、前記第１放熱モジュールにおいて、前記入口が、周辺環境に接続され、前記照明モジュールが、前記出口に隣接し、前記第２放熱モジュールにおいて、前記入口および前記出口が、前記植栽用空間に接続された請求項１に記載の植物栽培装置。
【請求項５】
前記筐体が、本体を含み、前記カバーが、主板、側板および天板を含み、前記主板および前記本体が、結合して前記植栽用空間を形成し、前記側板が、前記主板を取り囲むとともに、前記天板と前記主板の間に接続された請求項４に記載の植物栽培装置。
【請求項６】
前記カバーが、仕切り板をさらに含み、前記主板が、凹部を有し、前記仕切り板が、前記凹部に組み立てられるとともに、前記カバーを前記第１空間と前記第２空間に分割し、前記第１放熱モジュールおよび前記第２放熱モジュールが、それぞれ前記仕切り板の２つの対向面に設置された請求項５に記載の植物栽培装置。
【請求項７】
前記主板の凹部を形成していない区域に前記照明モジュールを配置することにより、前記照明モジュールが、前記主板の透光部を介して、前記植栽用空間に前記光を提供する請求項６に記載の植物栽培装置。
【請求項８】
前記照明モジュールが、
前記主板の上に配置された少なくとも１つの支持部材と、
前記少なくとも１つの支持部材の上に配置された基板と、
前記基板の上に配置され、前記主板の前記透光部に面した少なくとも１つの発光ユニットと、
を含み、前記基板および前記透光部が、互いに第１距離（Ｄ１）の間隔を保つ請求項７に記載の植物栽培装置。
【請求項９】
前記仕切り板および前記透光部が、同一平面上にあり、前記第１放熱モジュールの前記放熱フィンセットおよび前記仕切り板が、互いに第２距離（Ｄ２）の間隔を保ち、（Ｄ１）≦２／３（Ｄ２）である請求項８に記載の植物栽培装置。
【請求項１０】
前記仕切り板および前記透光部が、同一平面上にあり、前記第１放熱モジュールの前記放熱フィンセットおよび前記仕切り板が、互いに第２距離（Ｄ２）の間隔を保ち、（Ｄ１）≦１／２（Ｄ２）である請求項８に記載の植物栽培装置。
【請求項１１】
前記基板および前記第１放熱モジュールの前記放熱フィンセットが、互いに第３距離（Ｄ３）の間隔を保つ請求項８に記載の植物栽培装置。
【請求項１２】
前記ファンの回転速度が３０００ｒｐｍ〜３５００ｒｐｍの場合、前記第３距離（Ｄ３）が、５ｃｍよりも小さいか、それに等しい請求項１１に記載の植物栽培装置。
【請求項１３】
前記少なくとも１つの発光ユニットが、１つの発光ダイオードまたは複数の発光ダイオードである請求項８に記載の植物栽培装置。
【請求項１４】
前記熱電冷却チップが、前記冷却側と前記加熱側を逆に駆動するのに適し、前記加熱側が、前記第２空間に設置された請求項１に記載の植物栽培装置。
【発明の詳細な説明】
【技術分野】
【０００１】
本発明は、植物栽培装置に関するものである。
【背景技術】
【０００２】
従来の植物栽培方法は、ほとんどの場合が土耕（land farming）である。時が経つにつれ、人々は、適切かつ十分な肥料を植物に適用する方法を徐々に見つけ出し、植物を効率的に育て、栽培時間を減らし、農作物生産を増やしてきた。しかしながら、従来の土耕技術は、広い土地を必要とするため、全体の生産量が制限される。また、台風、暴風雨、干ばつ、霜、および他の気象災害等を含む自然災害は、農作物に直接影響を与え、予測不能な損失をもたらすこともある。
【０００３】
現在、経済値の高い農作物は、ほとんどが施設栽培で栽培されている。つまり、照光、水、空気および農作物の生育に必要な他の要因を施設で監視および制御することによって、高品質かつ安定生産の農作物を育て、農作物の市場価値を上げる。しかし、既存の植物栽培施設は、照光方法および灌漑方法を監視するためによく使用されるが、植物を育てる温度を制御する技術は、十分に発達していない。
【０００４】
例えば、発光ダイオード（light emitting diode, LED）を照明光源として使用する場合、それに伴う放熱問題が栽培環境の温度に影響を与える。そのため、いかにして便利で制御の簡単なＬＥＤを（照明光源として）提供するか、さらに、いかにして植物の生育温度を監視して環境温度を確保するかが、早急に解決すべき課題の１つとなっている。
【発明の概要】
【発明が解決しようとする課題】
【０００５】
本発明は、照明モジュールの温度と植物を栽培する温度の両方を制御することのできる熱電冷却チップを備えた植物栽培装置を提供する。
【課題を解決するための手段】
【０００６】
本発明の１つの実施形態において、筐体と、照明モジュールと、熱電冷却チップと、第１放熱モジュールと、第２放熱モジュールとを含む植物栽培装置を提供する。筐体は、カバーおよび植栽用空間を有する。カバーは、互いに分離した第１空間および第２空間を有する。第１空間は、周辺環境と連通し、第２空間は、植栽用空間と連通する。照明モジュールは、カバーに組み立てられ、第１空間内に設置される。照明モジュールは、植栽用空間に光を提供する。熱電冷却チップは、カバーに組み立てられる。熱電冷却チップは、第１空間に設置された加熱側および第２空間に設置された冷却側を有する。第１放熱モジュールは、第１空間に設置され、加熱側に熱的に接続される。ここで、第１放熱モジュールは、照明モジュールを介して周辺に向かって流れる空気流を生成することにより、照明モジュールによって生成された熱を放散する。第２放熱モジュールは、第２空間に設置され、冷却側に熱的に接続される。第２放熱モジュールは、植栽用空間に向かって流れる空気流を生成することにより、植栽用空間を冷却する。
【発明の効果】
【０００７】
以上のように、カバーに分離した第１空間と第２空間を配置し、第１空間と第２空間の交差部分に熱電冷却チップを配置することにより、第１放熱モジュールおよび第２放熱モジュールを熱電冷却チップの冷却側と加熱側に熱的に接続する。熱電冷却チップの温度差を調整することによって、冷却側の温度と加熱側の温度をそれぞれ植栽用空間の温度と照明モジュールの温度よりも低くすることができるため、熱電冷却チップを用いて照明モジュールによって生成される熱を植栽用空間に効率的に放散することができる。
【０００８】
本発明の上記および他の目的、特徴、および利点をより分かり易くするため、図面と併せた幾つかの実施形態を以下に説明する。
【図面の簡単な説明】
【０００９】
【図１】本発明の１つの実施形態に係る植物栽培装置を示す拡大図である。
【図２】図１の植物栽培装置のいくつかの構成要素を別の視角で示した概略的拡大図である。
【図３】別の視角から見たカバー１１４の拡大図である。
【図４】別の視角から見たカバー１１４の拡大図である。
【図５】図１の植物栽培装置の一部を線I−I’に沿って示した断面図である。
【発明を実施するための形態】
【００１０】
図１は、本発明の１つの実施形態に係る植物栽培装置を示す拡大図である。図２は、図１の植物栽培装置のいくつかの構成要素を別の視角で示した概略的拡大図である。図１および図２を参照すると、本実施形態において、植物栽培装置１００は、筐体１１０と、照明モジュール１２０と、第１放熱モジュール１３０と、第２放熱モジュール１４０とを含む。詳しく説明すると、筐体１１０は、本体１１２と、カバー１１４と、栽培タンク１１１６とを含む。カバー１１４および本体１１２は、組み合わせて植栽用空間Ｖ１を形成し、栽培タンク１１６は、植栽用空間Ｖ１（本体１１１２の底部）に設置される。栽培タンク１１６の中に、土または植物を入れることができる。注意すべきこととして、本発明は、植物の生育方法を特に限定しない。
【００１１】
本実施形態において、環境要因（すなわち、温度、空気、水等）を制御する構成要素、回路駆動用構成要素、および回路制御用構成要素は、いずれもカバー１１４の中に配置されるため、これらの構成要素は、いずれも制御モジュール（図示せず）によって駆動され、植栽用空間Ｖ１の植物の生育環境を監視することができる。つまり、環境要因を制御する構成要素は、いずれも制御モジュールに電気接続されるため、使用者は、カバー１１４によって覆われていないボタンやスイッチを介して構成要素を制御することができる。
【００１２】
図３および図４は、別の視角から見たカバー１１４の拡大図である。図２〜図４を参照すると、本実施形態において、カバー１１４は、主板１１４ａと、仕切り板１１４ｂと、側板１１４ｃと、天板１１４ｄとを含む。主板１１４ａは、本体１１２と組み合わせて植栽用空間Ｖ１を形成するのに適しており、カバー１１４の主構造として上述した制御部材を保持するために使用される。側板１１４ｃは、主板１１４ａを取り囲むとともに、天板１１４ｄと主板１１４ａの間に接続され、制御用構成要素を収容することのできる空間を形成する。
【００１３】
図３に示すように、主板１１４ａは、側部が底部よりも高い盆地形状を有する。特に、主板１１４ａは、主板１１４ａの中心に設置された凹部Ａ１と、主板１１４ａの相対する２つの側部に設置されたプラットフォームＡ２およびＡ３とを有する。凹部Ａ１は、カバー１１４下の植栽用空間Ｖ１に向かって延伸し、照明モジュール１２０は、それぞれプラットフォームＡ２およびＡ３の上に配置される。プラットフォームＡ２は、透光部Ａ２１を有し、プラットフォームＡ３は、透光部Ａ３１を有する。それにより、照明モジュール１２０によって生成された光線は、透光部Ａ２１およびＡ３１を通過した後、植栽用空間Ｖ１に伝送される。
【００１４】
第１放熱モジュール１３０および第２放熱モジュール１４０は、それぞれ仕切り板１１４ｂの相対する２つの側部に設置され；第１放熱モジュール１３０および第２放熱モジュール１４０のうちの１つは、上に配置され、別の１つは、底部に配置される。仕切り板１１４ｂは、図１および図３に示すように、主板１１４ａの凹部Ａ１に組み立てられ、天板１１４ｄ、側板１１４ｃおよび主板１１４ａによって定義された空間を互いに分離した第１空間Ｐ１および第２空間Ｐ２にさらに分割する。そのため、第１放熱モジュール１３０および照明モジュール１２０は、第１空間Ｐ１に設置され、第２放熱モジュール１４０は、第２空間Ｐ２に設置される。また、第１空間Ｐ１は、側板１１４ｃのスリット開口１１５ｂおよび天板１１４ｄのスリット開口１１５ａを介して周辺環境と連通し、第２空間Ｐ２は、スリット開口１１５ｃ、１１５ｄおよび１１５ｅを介して植栽用空間Ｖ１と連通する。このようにして、第１空間Ｐ１と第２空間Ｐ２が独立し、互いに干渉しない。
【００１５】
注意すべきこととして、構成要素を明確に示すため、スリット開口を点線で示し、スリット開口の拡大図も提供する。
【００１６】
図５は、図１の植物栽培装置の一部を線I−I’に沿って示した断面図である。図３〜図５を参照すると、本実施形態において、照明モジュール１２０は、支持部材１２２と、基板１２４と、複数の発光ユニット１２６とを含む。支持部材１２２は、主板１１４ａの透光部Ａ２１またはＡ３１の上に配置される。基板１２４は、支持部材１２２の上に配置され、制御モジュールに電気接続される。発光ユニット１２６は、基板１２４の上に実装され、透光部Ａ２１およびＡ３１に面した発光ダイオード（ＬＥＤ）である。ここで、基板１２４は、ＬＥＤに実装された回路板と、回路板の熱を放散するよう構成された放熱フィンとを含む。
【００１７】
発光ユニット１２６は、透光部Ａ２１（またはＡ３１）を介して植栽用空間Ｖ１に光を提供し、光は、植物の生育に必要な照明源として使用される。しかしながら、光は、植栽用空間Ｖ１の温度を上昇させる。光と発光ユニット１２６によって生成された熱が構造上の構成要素または空気を介して伝送され、植栽用空間Ｖ１の温度を上昇させる。このような環境は、植物の生育にとって好ましくない。本実施形態によると、照明モジュール１２０は、第１温度を生成し、植栽用空間Ｖ１は、植栽用空間Ｖ１を光で照射した後に、第２温度を生成する。
【００１８】
ここで、本発明の植物栽培装置１００は、さらに、仕切り板１１４ｂの中に配置され、第１空間Ｐ１と第２空間Ｐ２の間の交差部分に実質的に設置された熱電冷却チップ１５０を含む。第１放熱モジュール１３０は、第１空間Ｐ１の熱電冷却チップ１５０の加熱側に熱的に接続され、第２放熱モジュール１４０は、第２空間Ｐ２の熱電冷却チップ１５０の冷却側に熱的に接続される。熱電冷却チップ１５０、第１放熱モジュール１３０および第２放熱モジュール１４０を電気接続することにより、制御モジュールによりこれらを駆動する。
【００１９】
図１〜図４に示すように、植物栽培装置１００は、４つの第１放熱モジュール１３０および４つの第２放熱モジュール１４０を含む。各第１放熱モジュール１３０は、構造および構成要素が同じであり、各第２放熱モジュール１４０は、構造および構成要素が同じであるため、図５に示した第１放熱モジュール１３０および第２放熱モジュール１４０を例に挙げて説明する。
【００２０】
本実施形態において、第１放熱モジュール１３０は、ファン１３２と、放熱フィンセット１３４とを含む。ファン１３２は、入口Ｅ１を有し、入口Ｅ１は、天板１１４ｄのスリット開口１１５ｂに面する。放熱フィンセット１３４は、熱電冷却チップ１５０の加熱側Ｓ１に熱的に接続され、出口Ｅ２を有し、照明モジュール１２０は、側板１１４ｃのスリット開口１１５ａと出口Ｅ２の間に設置される。また、天板１１４ｄは、仕切り板１１４ｂ、主板１１４ａおよび側板１１４ｃを組み立てた後に仕切り板１１４ｂの上の第１放熱モジュール１３０にそれぞれ対応する複数のエアデフレクタ（air deflector）１１７を有する。
【００２１】
ここで、４つの第２放熱モジュール１３０のファン１３２の入口Ｅ１は、いずれも天板１１４ｄのスリット開口１１５ｂに面するが、本発明はこれに限定されない。
【００２２】
同様に、第２放熱モジュール１４０は、ファン１４２と、放熱フィンセット１４４とを含む。ファン１４２は、入口Ｅ３を有し、入口Ｅ３は、主板１１４ａのスリット開口１１５ｃに面する。放熱フィンセット１４４は、熱電冷却チップ１５０の冷却側Ｓ２に熱的に接続され、主板１１４ａのスリット開口１５５ｄおよび１１５ｅに面する出口Ｅ２を有するため、第２放熱モジュール１４０は、植栽用空間Ｖ１と連通することができる。
【００２３】
第２放熱モジュール１４０の異なる位置に応じて、スリット開口１１５ｃ、１１５ｄおよび１１５ｅは、主板１１４ａの凹部Ａ１の底部Ｂ１および側部Ｂ２に形成されるが、本発明はこれに限定されない。
【００２４】
上述した配置により、熱電冷却チップ１５０が起動されると、熱電冷却チップ１５０の冷却側Ｓ２が第３温度を生成し、加熱側Ｓ１が第４温度を生成する。それにより、第２空間Ｐ２において、各第２放熱モジュール１４０のファン１４２は、主板１４４ａの底部Ｂ１にあるスリット開口１１５ｃを介して、植栽用空間Ｖ１の空気を入口Ｅ２に吸収することができる。そして、ファン１４２により放熱フィンセット１４４に空気を吹きかけ、冷却側Ｓ２と熱交換を行う。熱交換を行った後、主板１４４ａの底部Ｂ２にあるスリット開口１１５ｄを介して（および、底部Ｂ１にあるスリット開口１１５ｅを介して）、出口Ｅ４から植栽用空間Ｖ１に再度空気を吹きかける。このようにして、空気流Ｆ２で示した第２空間Ｐ２と植栽用空間Ｖ１の間の熱交換サイクルが完了する。
【００２５】
一方、第１空間Ｐ１において、各第１放熱モジュール１３０のファン１３２は、スリット開口１１５ａを介して周辺の空気を入口Ｅ１に吸収することができる。そして、ファン１３２により放熱フィンセット１３４に空気を吹きかけ、加熱側Ｓ１と熱交換を行う。熱交換を行った後、側板１４４ｃのスリット開口１１５ｂを介して、カバー１１４から周辺に再度空気を吹きかける。このようにして、空気流Ｆ１で示した第１空間Ｐ１と周辺の間の熱交換サイクルが完了する。
【００２６】
したがって、設計者は、植物の生育に必要な温度に基づいて熱電冷却チップ１５０の温度差を制御することにより、冷却側Ｓ２の第３温度を植栽用空間Ｖ１の第２温度よりも低くし、加熱側Ｓ１の第４温度を照明モジュール１２０の第１温度よりも低くすることができる。その結果、照明モジュール１２０および植栽用空間Ｖ１からの熱を放散することができる。
【００２７】
例えば、材料、入力電流（電圧）等に応じて、熱電冷却チップ１５０の加熱側Ｓ１の第４温度Ｔ４を３５℃〜４０℃の範囲内に制御する。その結果、第１モジュール１３０の放熱フィンセット１３４を介して空気流が流れた後でも、空気流の温度は、照明モジュール１２０のＬＥＤ１２６の第１温度よりも低いため、空気流が照明モジュールからの熱を放散することができる。放熱後、照明モジュール１２０の温度は、高くても５０℃に留まる。この時、熱電冷却チップ１５０の温度差ΔＴを例えば６７℃とすると、熱電冷却チップ１５０の冷却側Ｓ２の第３温度は、約−３２℃である。ここで、第３温度は、照明モジュール１２０からの光によって植栽用空間Ｖ１を照射した後でも、植栽用空間Ｖ１の第２温度よりも低い。それにより、植栽用空間Ｖ１の温度を植物の生育に適した範囲内（例えば、１５°〜２５℃）に制御することができる。
【００２８】
図示していない別の実施形態において、熱電冷却チップ１５０を逆の手順で（すなわち、逆電流フローまたは負電圧を印加することによって）駆動した場合、熱電冷却チップ１５０の冷却側と加熱側の特性を交換することができ、それにより、加熱側は、植栽用空間Ｖ１と連通した第２空間Ｐ２に設置される。この時、加熱側は、植栽用空間Ｖ１の温度を上昇させる。植物栽培装置を寒い領域に設置した場合、植栽用空間Ｖ１の温度は、そのまま植物の生育に適した温度を維持することができる。
【００２９】
また、図５を参照すると、第１空間Ｐ１において、仕切り板１１４ｂと透光部Ａ２１およびＡ３１は、実質的に同一平面上にある。照明モジュール１２０の基板１２４と透光部Ａ２１およびＡ３１は、互いに第１距離（Ｄ１）の間隔を保ち、第１放熱モジュール１３０の放熱フィンセット１３４と仕切り板１１４ｂは、互いに第２距離（Ｄ２）の間隔を保ち、（Ｄ１）≦２／３（Ｄ２）である。それにより、照明モジュール１２０の主要発熱源、すなわち、発光ユニット１２６および基板１２４を放熱フィンセット１３４の外を流れる空気流Ｆ１の経路に配置することができ、照明モジュール１２０によって生成された熱をうまく放散することができる。図示していない別の実施形態において、（Ｄ１）≦１／２（Ｄ２）であり、第１放熱モジュール１３０と照明モジュール１２０の間の構造関係に応じて決定することができる。つまり、本実施形態において提供する照明モジュール１２０は、主板１１４ａの透光部Ａ２１およびＡ３１に対応する発光ユニット１２６および基板１２４を空気中に浮遊させるため、放熱フィンセット１３４から流れる空気流Ｆ１が発熱源と熱交換することができる。別の観点から見ると、照明モジュール１２０の基板１２４と第１放熱モジュール１３０の放熱フィンセット１３４は、互いに第３距離（Ｄ３）の間隔を保ち；ファン１３２の回転速度が３０００ｒｐｍ〜３５００ｒｐｍの場合、第３距離（Ｄ３）は、５ｃｍよりも小さいか、それに等しい。つまり、第３距離（Ｄ３）は、ファン１３２の回転速度に応じて決定される。それにより、放熱フィンセット１３４から流れる空気流Ｆ１が照明モジュール１２０の発光ユニット１２６および基板１２４を包むことができ、照明モジュール１２０の放熱効果を向上させることができる。
【００３０】
以上のように、熱電冷却チップは、２つの放熱モジュールをそれぞれ熱電冷却チップの冷却側と加熱側に熱的に接続し、植物栽培装置の植栽用空間および照明モジュールからの熱を放散する。それにより、植栽用空間の植物が照明モジュールによって照射されても、放熱モジュールおよび熱電冷却チップを適用することによって、植栽用空間の温度を監視して、高くなりすぎないようにすることができ、照明モジュールの放熱問題を解決することもできる。つまり、植物栽培装置は、熱電冷却チップの冷却側と加熱側を２つの分離した空間に設置することにより、異なる生成源からの熱を放散することができ、その結果、熱電冷却チップの利用率を効果的に上げることができる。さらに、植物栽培装置を寒い領域に置く場合、熱電冷却チップを逆の手順で起動することにより、熱電冷却チップの加熱側が植栽用空間を加熱して、植栽用空間の温度を植物の生育に適した温度に維持することができる。上述した配置によって、植物栽培装置を多種多様の環境に適用することができる。
【００３１】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００３２】
植物栽培装置に熱電冷却チップを装備して、熱電冷却チップの冷却側と加熱側をそれぞれ２つの放熱モジュールに接続することにより、植物栽培装置の植栽用空間および照明モジュールからの熱を放散することができる。
【符号の説明】
【００３３】
１００  植物栽培装置
１１０  筐体
１１２  本体
１１４  カバー
１１４ａ  主板
１１４ｂ  仕切り板
１１４ｃ  側板
１１４ｄ  天板
１１５ａ、１１５ｂ、１１５ｃ、１１５ｄ、１１５ｅ  スリット開口
１１６  タンク
１１７  エアデフレクタ
１２０  照明モジュール
１２２  支持部材
１２４  基板
１２６  発光ユニット
１３０  第１放熱モジュール
１３２、１４２  ファン
１３４、１４４  放熱フィンセット
１４０  第２放熱モジュール
１５０  熱電冷却チップ
Ａ１  凹部
Ａ２、Ａ３  プラットフォーム
Ａ２１、Ａ３１  透光部
Ｂ１  底部
Ｂ２  側部
Ｄ１  第１距離
Ｄ２  第２距離
Ｄ３  第３距離
Ｅ１、Ｅ３  入口
Ｅ２、Ｅ４  出口
Ｆ１、Ｆ２  空気流
Ｐ１  第１空間
Ｐ２  第２空間
Ｓ１  加熱側
Ｓ２  冷却側
Ｖ１  植栽用空間
Ｉ−Ｉ’  横断線
【図１】
2016220670.tif 000003
【図２】
2016220670.tif 000004
【図３】
2016220670.tif 000005
【図４】
2016220670.tif 000006
【図５】
2016220670.tif 000007
【外国語明細書】
2016220670000001.pdf